(57)【特許請求の範囲】
【請求項１】
回転軸回りで回転する記録ディスクと、記録ディスクに同軸に規定される仮想円筒面に沿って広がり、一定の間隔で記録ディスクの外周端面に向き合わせられるシュラウド面と、記録ディスクに対してヘッドスライダを相対変位させるヘッドアクチュエータと、シュラウド面の一端から他端に向かって延び、仮想円筒面との間にヘッドアクチュエータの収容空間を区画する気流誘導面と、気流誘導面から突き出る複数の突起を区画する集塵部材とを備えることを特徴とする記録ディスク駆動装置。
【請求項２】
回転軸回りで回転する記録ディスクと、記録ディスクに同軸に規定される仮想円筒面に沿って広がり、一定の間隔で記録ディスクの外周端面に向き合わせられるシュラウド面と、記録ディスクに対してヘッドスライダを相対変位させるヘッドアクチュエータと、シュラウド面の一端から他端に向かって延び、仮想円筒面との間にヘッドアクチュエータの収容空間を区画する気流誘導面と、気流誘導面に沿って区画される気流流通路と、気流流通路内に配置されて第１流速の気流に曝される非帯電性の第１集塵部材と、気流流通路内に配置されて第１流速より小さい第２流速の気流に曝される静電性の第２集塵部材とを備えることを特徴とする記録ディスク駆動装置。
【発明の詳細な説明】
【技術分野】
【０００１】
本発明は、例えばハードディスク駆動装置（ＨＤＤ）といった記録ディスク駆動装置に関し、特に、記録ディスクと、一定の間隔で記録ディスクの外周端面に向き合わせられるシュラウド面とを備える記録ディスク駆動装置に関する。
【背景技術】
【０００２】
例えば特許文献４に開示されるように、ＨＤＤでは磁気ディスクの外側にシュラウドが配置される。シュラウドには、一定の間隔で磁気ディスクの外周端面に向き合わせられるシュラウド面が区画される。磁気ディスクの回転方向に沿ってシュラウドから下流側で磁気ディスクの外側にランドが配置される。シュラウドおよびランドの間には気流の導入口が区画される。導入口には磁気ディスクに隣接してフィルタが配置される。
【特許文献１】特開平０１−１４４２８６号公報
【特許文献２】特開平０５−６２４５１号公報
【特許文献３】特開昭５９−２１５０９１号公報
【特許文献４】特開２００２−１０９８５８号公報
【発明の開示】
【発明が解決しようとする課題】
【０００３】
磁気ディスクの回転中、磁気ディスクの表面に沿って気流が生成される。気流は磁気ディスクの回転の遠心力に基づき導入口に流れ込む。フィルタは磁気ディスクに隣接して配置されることから、フィルタに基づき導入口で気流は滞留してしまう。気流は導入口から十分に流れ出ることができない。フィルタでは塵埃は十分に集塵されることができない。しかも、気流の滞留に基づき気流の乱れが引き起こされる。磁気ディスクは振動してしまう。ヘッドスライダの位置決め精度は悪化する。磁気情報の読み出しや書き込みは阻害される。
【０００４】
本発明は、上記実状に鑑みてなされたもので、集塵の効率を高めるとともに記録ディスクの振動を低減することができる記録ディスク駆動装置を提供することを目的とする。
【課題を解決するための手段】
【０００５】
上記目的を達成するために、第１発明によれば、回転軸回りで回転する記録ディスクと、記録ディスクに同軸に規定される仮想円筒面に沿って広がり、一定の間隔で記録ディスクの外周端面に向き合わせられる第１シュラウド面と、記録ディスクに同軸に規定される仮想円筒面に沿って広がり、記録ディスクの回転方向に沿って第１シュラウド面の下流で記録ディスクの外周端面に一定の間隔で向き合わせられる第２シュラウド面と、第１および第２シュラウド面の間に区画される導入口と、第２シュラウド面から延びて所定の間隔で記録ディスクの表面に向き合わせられる整流板と、導入口内に配置されて一定の間隔で記録ディスクの外周端面に向き合わせられ、記録ディスクの回転軸に直交する１仮想平面内に広がるシュラウド板と、導入口から延びる気流流通路に配置される集塵部材とを備えることを特徴とする記録ディスク駆動装置が提供される。
【０００６】
こうした記録ディスク駆動装置では、記録ディスクの回転中に記録ディスクの表面に沿って気流が生成される。気流は記録ディスクの回転の遠心力に基づき記録ディスクの外周に向かって流通する。記録ディスクの外周端面には第１および第２シュラウド面並びにシュラウド板が向き合わせられる。シュラウド板に基づき第１および第２シュラウド面の連続性は確保される。第１および第２シュラウド面並びにシュラウド板の働きで気流の乱れは確実に抑制される。記録ディスクの振動はこれまで以上に低減される。
【０００７】
しかも、導入口は第１および第２シュラウド面の間に配置される。記録ディスクの回転方向に沿って導入口の下流には整流板が配置される。整流板は記録ディスクの表面に向き合わせられる。その結果、気流は第１シュラウド面の下流端すなわち導入口に大量に流れ込む。導入口内にはシュラウド板が配置される。シュラウド板は、記録ディスクの回転軸に直交する１仮想平面内に広がる。こうして気流は導入口から気流流通路に効率的に流れ込む。導入口で気流の滞留は阻止される。こうした気流に集塵部材は曝される。集塵部材では集塵の効率は高められることができる。
【０００８】
第２発明によれば、回転軸回りで回転する記録ディスクと、記録ディスクに同軸に規定される仮想円筒面に沿って広がり、一定の間隔で記録ディスクの外周端面に向き合わせられるシュラウド面と、記録ディスクに対してヘッドスライダを相対変位させるヘッドアクチュエータと、シュラウド面の一端から他端に向かって延び、仮想円筒面との間にヘッドアクチュエータの収容空間を区画する気流誘導面と、気流誘導面から突き出る複数の突起を区画する集塵部材とを備えることを特徴とする記録ディスク駆動装置が提供される。
【０００９】
こういった記録ディスク駆動装置ではシュラウド面の働きで気流の乱れは抑制される。記録ディスクの振動は低減される。しかも、気流は気流誘導面に沿って流通する。こうして気流誘導面に沿って気流流通路が区画される。集塵部材の突起は気流誘導面から突き出る。突起は気流流通路内で途切れる。したがって、突起の突出にも拘わらず気流の滞留は回避される。集塵部材の突起は十分な流速の気流に曝されることができる。しかも、集塵部材には複数の突起が形成される。配置スペースの増大を伴うことなく集塵部材の面積は増大する。面積の増大に基づき塵埃は大量に集塵されることができる。集塵部材では集塵の効率は高められることができる。
【００１０】
第３発明によれば、回転軸回りで回転する記録ディスクと、記録ディスクに同軸に規定される仮想円筒面に沿って広がり、一定の間隔で記録ディスクの外周端面に向き合わせられるシュラウド面と、記録ディスクに対してヘッドスライダを相対変位させるヘッドアクチュエータと、シュラウド面の一端から他端に向かって延び、仮想円筒面との間にヘッドアクチュエータの収容空間を区画する気流誘導面と、気流誘導面に沿って区画される気流流通路と、気流流通路内に配置されて第１流速の気流に曝される非帯電性の第１集塵部材と、気流流通路内に配置されて第１流速より小さい第２流速の気流に曝される静電性の第２集塵部材とを備えることを特徴とする記録ディスク駆動装置が提供される。
【００１１】
こういった記録ディスク駆動装置では、シュラウド面の働きで気流の乱れは抑制される。記録ディスクの振動は低減される。しかも、気流流通路内では第１集塵部材は第１流速の気流に曝される。同様に、第２集塵部材は、第１流速より小さい第２流速の気流に曝される。非帯電性の第１集塵部材は流速に依存せずに塵埃を集塵することができる。その一方で、静電性の第２集塵部材は小さい流速の気流に基づき効率的に塵埃を集塵することができる。こうして気流流通路内では気流の流速に変化に応じて第１および第２集塵部材は配置される。集塵の効率は一層高められることができる。
【発明の効果】
【００１２】
以上のように本発明によれば、集塵の効率を高めるとともに記録ディスクの振動を低減することができる記録ディスク駆動装置が提供されることができる。
【発明を実施するための最良の形態】
【００１３】
以下、添付図面を参照しつつ本発明の一実施形態を説明する。
【００１４】
図１は、本発明の第１実施形態に係る記録ディスク駆動装置の一具体例すなわちハードディスク駆動装置（ＨＤＤ）１１の内部構造を概略的に示す。このＨＤＤ１１は箱形のハウジング１２を備える。ハウジング１２のサイズは例えば３．５インチの直径の磁気ディスク用に設定される。ハウジング１２は、収容空間を区画する箱形の筐体すなわちベース１３を備える。ベース１３は例えばアルミニウムといった金属材料から鋳造に基づき成形されればよい。ベース１３には蓋体すなわちカバー（図示されず）が結合される。カバーとベース１３との間で収容空間は密閉される。カバーは例えばプレス加工に基づき１枚の板材から成形されればよい。
【００１５】
ベース１３には、仮想円筒面１４で仕切られるディスク収容空間１５と、仮想円筒面１４に隣接するアクチュエータ収容空間１６とが区画される。ディスク収容空間１５には、記録ディスクとしての１枚以上の磁気ディスク１７が収容される。仮想円筒面１４は磁気ディスク１７に同軸に規定される。磁気ディスク１７の直径は例えば２．５インチに設定される。磁気ディスク１７はスピンドルモータ１８の回転軸に装着される。スピンドルモータ１８は例えば５４００ｒｐｍや７２００ｒｐｍ、１００００ｒｐｍ、１５０００ｒｐｍといった高速度で磁気ディスク１７を回転させることができる。
【００１６】
その一方で、アクチュエータ収容空間１６にはヘッドアクチュエータ部材１９が収容される。このヘッドアクチュエータ部材１９はアクチュエータブロック２１を備える。アクチュエータブロック２１は、垂直方向に延びる支軸２２に回転自在に支持される。アクチュエータブロック２１には、支軸２２から水平方向に延びる剛体のアクチュエータアーム２３が区画される。アクチュエータアーム２３は磁気ディスク１７の表面および裏面ごとに配置される。アクチュエータブロック２１は例えば鋳造に基づきアルミニウムから成型されればよい。
【００１７】
アクチュエータアーム２３の先端にはヘッドサスペンション２４が取り付けられる。ヘッドサスペンション２４は、アクチュエータアーム２３の先端から前方に向かって延びる。ヘッドサスペンション２４の前端には浮上ヘッドスライダ２５が支持される。浮上ヘッドスライダ２５は磁気ディスク１７の表面に向き合わせられる。周知の通り、複数枚の磁気ディスク１７がベース１３内に組み込まれる場合には、隣接する磁気ディスク１７同士の間で２本のアクチュエータアーム２３すなわち２つのヘッドサスペンション２４が配置される。
【００１８】
浮上ヘッドスライダ２５にはいわゆる磁気ヘッドすなわち電磁変換素子（図示されず）が搭載される。この電磁変換素子は、例えば、スピンバルブ膜やトンネル接合膜の抵抗変化を利用して磁気ディスク１７から情報を読み出す巨大磁気抵抗効果（ＧＭＲ）素子やトンネル接合磁気抵抗効果（ＴＭＲ）素子といった読み出し素子と、薄膜コイルパターンで生成される磁界を利用して磁気ディスク１７に情報を書き込む薄膜磁気ヘッドといった書き込み素子とで構成されればよい。
【００１９】
浮上ヘッドスライダ２５には、磁気ディスク１７の表面に向かってヘッドサスペンション２４から押し付け力が作用する。磁気ディスク１７の回転に基づき磁気ディスク１７の表面で生成される気流の働きで浮上ヘッドスライダ２５には浮力が作用する。ヘッドサスペンション２４の押し付け力と浮力とのバランスで磁気ディスク１７の回転中に比較的に高い剛性で浮上ヘッドスライダ２５は浮上し続けることができる。
【００２０】
アクチュエータ収容空間１６には、アクチュエータブロック２１に接続される動力源すなわちボイスコイルモータ（ＶＣＭ）２６が収容される。このＶＣＭ２６の働きでアクチュエータブロック２１は支軸２２回りで回転することができる。こうしたアクチュエータブロック２１の回転に基づきアクチュエータアーム２３およびヘッドサスペンション２４の揺動は実現される。浮上ヘッドスライダ２５の浮上中に支軸２２回りでアクチュエータアーム２３が揺動すると、浮上ヘッドスライダ２５は半径方向に磁気ディスク１７の表面を横切ることができる。こうした浮上ヘッドスライダ２５の半径方向移動に基づき電磁変換素子は目標の記録トラックに位置決めされる。
【００２１】
ヘッドサスペンション２４の先端には、ヘッドサスペンション２４の先端から前方に延びるロード部材すなわちロードタブ２７が固定される。ロードタブ２７はヘッドアクチュエータ部材１９の揺動に基づき磁気ディスク１７の半径方向に移動することができる。ロードタブ２７の移動経路上には磁気ディスク１７の外側すなわちアクチュエータ収容空間１６内にランプ部材２８が配置される。ランプ部材２８はベース１３の底板に例えばねじ留めされればよい。ランプ部材２８およびロードタブ２７は協働でいわゆるロードアンロード機構を構成する。ランプ部材２８は例えば硬質プラスチック材料から成型されればよい。
【００２２】
磁気ディスク１７の外側には、ベース１３の底板から立ち上がる第１シュラウド３１が配置される。第１シュラウド３１は前述の仮想円筒面１４に沿って第１シュラウド面３３を規定する。こうして第１シュラウド面３３は一定の間隔で磁気ディスク１７の外周端面１７ａに向き合わせられる。第１シュラウド３１はヘッドアクチュエータ部材１９の揺動範囲やその周囲で途切れる。第１シュラウド３１は例えばベース１３に一体化されればよい。
【００２３】
磁気ディスク１７の外側には第２シュラウド３４がさらに配置される。第２シュラウド３４は磁気ディスク１７の回転方向に沿って第１シュラウド３１の下流に配置される。第２シュラウド３４は、後述されるように、仮想円筒面１４に沿って広がる第２シュラウド面を規定する。第２シュラウド面は一定の間隔で磁気ディスク１７の外周端面１７ａに向き合わせられる。第２シュラウド３４はベース１３と別体に構成される。第２シュラウド３４は、アクチュエータ収容空間１６でベース１３の底板に固定される取り付け部材３５を備える。取り付け部材３５は例えばベース１３の底板にねじ留めされればよい。
【００２４】
第２シュラウド３４は、第２シュラウド面から磁気ディスク１７の内周に向かって磁気ディスク１７の表面に平行に広がる整流板３６を備える。整流板３６の表面は一定の間隔で磁気ディスク１７の表面に向き合わせられる。隣接する磁気ディスク１７同士の間では２つの磁気ディスク１７に共通に１片の整流板３６が配置される。磁気ディスク１７の回転中に磁気ディスク１７の表面に沿って気流が生成されると、整流板３６の働きで気流の乱れは抑制されることができる。
【００２５】
第１シュラウド面３３および第２シュラウド面の間には導入口３７が区画される。第１シュラウド面３３の下流端には気流誘導面３８が接続される。気流誘導面３８は第１シュラウド面３３に連続する。気流誘導面３８は、アクチュエータ収容空間１６の輪郭に沿って第１シュラウド面３３の下流端から上流端に向かって延びる。すなわち、気流誘導面３８は仮想円筒面１４との間にアクチュエータ収容空間１６を区画する。こうしてアクチュエータ収容空間１６には導入口３７から気流誘導面３８に沿って延びる気流流通路３９が区画される。
【００２６】
気流誘導面３８には、相互に向き合わせられる第１および第２気流誘導面３８ａ、３８ｂと、仮想円筒面１４に向き合わせられる第３気流誘導面３８ｃとが規定される。第３気流誘導面３８ｃは第１および第２気流誘導面３８ａ、３８ｂを接続する。第１気流誘導面３８ａは第１シュラウド面３３の下流端に接続される。第２気流誘導面３８ｂは第１シュラウド面３３の上流端に接続される。こうして気流流通路３９は、第１気流誘導面３８ａから第３気流誘導面３８ｃ、第２気流誘導面３８ｂに沿ってアクチュエータ収容空間１６内を延びる。
【００２７】
導入口３７内には複数のシュラウド板４１が配置される。シュラウド板４１は、後述されるように、磁気ディスク１７の回転軸に直交する１仮想平面内に広がる。シュラウド板４１は、仮想円筒面１４に沿って広がる第３シュラウド面４２を規定する。第３シュラウド面４２は一定の間隔で磁気ディスク１７の外周端面１７ａに向き合わせられる。シュラウド板４１は第２シュラウド３４の取り付け部材３５に一体化されればよい。シュラウド板４１の先端は第１シュラウド３１に隣接する。こうした第３シュラウド面４２によれば、第１シュラウド面３３から第２シュラウド面まで連続性は確保される。
【００２８】
気流流通路３９では、シュラウド板４１に隣接して非帯電性の第１集塵部材すなわち第１フィルタ４３が配置される。すなわち、磁気ディスク１７の外周端面１７ａおよび第１フィルタ４３の間にシュラウド板４１が配置される。第１フィルタ４３は気流流通路３９の断面の全面にわたって広がればよい。こうして第１フィルタ４３は導入口３７から気流流通路３９に流れ込む気流に曝される。第１フィルタ４３は例えばＰＴＦＥ（ポリテトラフルオロエチレン）といった非帯電性の樹脂材料に基づき網目状に形成されればよい。第１フィルタ４３の網目は微細に設定される。
【００２９】
気流流通路３９では、第３気流誘導面３８ｃおよびＶＣＭ２６の間に静電性の第２集塵部材すなわち第２フィルタ４４が配置される。第２フィルタ４４は、第３気流誘導面３８ｃに所定の交差角で交差する平面に沿って広がる。こうして第２フィルタ４４は気流流通路３９で気流に曝される。こうした第２フィルタ４４は例えばエレクトレットといった静電性の材料に基づき網目状に形成されればよい。第２フィルタ４４の網目は第１フィルタ４３の網目より粗く設定される。第２フィルタ４４では例えば静電気に基づき塵埃は集塵されることができる。
【００３０】
図２に示されるように、第２シュラウド３４には仮想円筒面１４に沿って広がる第２シュラウド面４５が規定される。第２シュラウド面４５は整流板３６同士の間で取り付け部材３５に規定される。第２シュラウド面４５はシュラウド板４１の第３シュラウド面４２に連続する。
【００３１】
第１フィルタ４３は両端で例えば１対の保持部材４６、４６に保持される。保持部材４６は例えばベース１３の底板の表面から直立すればよい。こうした保持部材４６は例えばシュラウド板４１に取り付けられればよい。
【００３２】
図３を併せて参照し、シュラウド板４１は磁気ディスク１７ごとに配置される。シュラウド板４１は、磁気ディスク１７の回転軸に直交する仮想平面４７に沿って広がる。磁気ディスク１７は同様に仮想平面４７に沿って広がる。シュラウド板４１の厚みは磁気ディスク１７の厚みに一致する。その結果、シュラウド板４１同士の間には導入口３７から気流流通路３９に連続する空間が区画される。こうして磁気ディスク１７の表面や磁気ディスク１７同士の間で生成される気流は導入口３７から気流流通路３９に流れ込む。ただし、シュラウド板４１の厚みは磁気ディスク１７の厚みと異なってもよい。
【００３３】
以上のようなＨＤＤ１１では、磁気ディスク１７の回転中に磁気ディスク１７の表面に沿って気流が生成される。気流は磁気ディスク１７の回転の遠心力に基づき磁気ディスク１７の外周に向かって流通する。磁気ディスク１７の外周端面１７ａには第１〜第３シュラウド面３３、４５、４２が一定の間隔で向き合わせられる。すなわち、第３シュラウド面４２に基づき第１および第２シュラウド面３３、４５の連続性は確保される。こうした第１〜第３シュラウド面３３、４５、４２の働きで気流の乱れは確実に抑制される。磁気ディスク１７の振動はこれまで以上に低減される。
【００３４】
しかも、磁気ディスク１７の外周端面１７ａの大部分は第１シュラウド面３３に向き合わせられる。加えて、磁気ディスク１７の表面には磁気ディスク１７の回転方向に沿って導入口３７の下流に整流板３６が向き合わせられる。その結果、気流は磁気ディスク１７の回転の遠心力に基づき第１シュラウド面３３の下流端から導入口３７に大量に流れ込む。導入口３７では、シュラウド板４１および磁気ディスク１７は仮想平面４７に沿って同一の厚みで広がる。磁気ディスク１７の表面や磁気ディスク１７同士の間で生成される気流は導入口３７に効率的に流れ込む。導入口３７で気流の滞留は阻止される。気流は、シュラウド板４１同士の間に区画される空間から気流流通路３９に大量に流れ込む。こうした気流に第１フィルタ４３は曝される。第１フィルタ４３では集塵の効率は高められることができる。
【００３５】
加えて、第１シュラウド面３３および整流板３６の働きで導入口３７で第１流速すなわち最大流速の気流が生成される。第１フィルタ４３は非耐電性の樹脂材料から微細な網目状に形成されることから、第１フィルタ４３は流速に依存せずに塵埃を集塵することができる。したがって、第１フィルタ４３は第１流速の気流に基づき効率的に塵埃を集塵することができる。その一方で、第２気流誘導面３８ｂや第３気流誘導面３８ｃに沿って区画される気流流通路３９では第１流速より小さい第２流速の気流が生成される。第２フィルタ４４は静電性の樹脂材料から粗い網目状に形成されることから、第２フィルタ４４は小さい第２流速の気流に基づき効率的に塵埃を集塵することができる。こうして気流の流速に変化に応じて第１および第２フィルタ４３、４４は配置される。集塵の効率は一層高められることができる。
【００３６】
本発明者は、シュラウド板４１の効果を検証した。検証にあたって本発明者は具体例に係るＨＤＤ１１を用意した。同時に、本発明者は比較例に係るＨＤＤを用意した。このＨＤＤでは第２シュラウド３４でシュラウド板４１の形成は省略された。具体例および比較例では、磁気ディスクの表裏面に浮上ヘッドスライダは向き合わせられた。磁気ディスクの回転に基づき浮上ヘッドスライダで磁気ディスクから情報は読み出された。読み出された情報に基づき振動の周波数特性は解析された。
【００３７】
図４は振動の周波数特性を示す。比較例に比べて具体例では周波数のゲインがおよそ２〜３［ｄＢ］の範囲で低減されることが確認された。特に、周波数２０００［Ｈｚ］〜３０００［Ｈｚ］の範囲でゲインが低減されることが確認された。こういった周波数は磁気ディスクの振動として把握される。具体例に係るＨＤＤ１１では、シュラウド板４１の働きで磁気ディスク１３の振動は抑制されることが確認された。浮上ヘッドスライダ２１および磁気ディスク１３の間で相対変位は抑制されることが確認された。ただし、２０００［Ｈｚ］〜３０００［Ｈｚ］の範囲外でもゲインが低減されることが確認された。
【００３８】
図５に示されるように、本発明のシュラウド板４１や第１および第２フィルタ４３、４４は、磁気ディスク１７の直径の増大にも拘わらずＨＤＤ１１に組み込まれることができる。ここでは、磁気ディスク１７の直径は例えば３．５インチに設定される。このとき、第２フィルタ４４の配置は例えばＶＣＭ２６の配置に基づき変更されればよい。ここでは、第２フィルタ４４はＶＣＭ２６の一端に沿って配置されればよい。こうしてディスク収容空間１５の増大に伴ってアクチュエータ収容空間１６が減少しても、アクチュエータ収容空間１６内でスペースは有効に利用されることができる。その他、前述の第１実施形態と均等な構成や構造には同一の参照符号が付される。
【００３９】
図６は、本発明の第２実施形態に係るＨＤＤ１１ａの内部構造を概略的に示す。このＨＤＤ１１ａには、前述の第１および第２フィルタ４３、４４に代えて、気流流通路３９に第３および第４フィルタ５１、５２が組み込まれる。第３フィルタ５１は第３気流誘導面３８ｃに沿って配置される。第３フィルタ５１は、第３気流誘導面３８ｃに取り付けられる本体５３と、本体５３から突き出る複数の突起５４、５４…とから構成される。本体５３および突起５４は一体化されればよい。突起５４は、第３気流誘導面３８ｃに所定の交差角で交差する平面に沿って突き出る。ここでは、突起５４は気流の流通の方向に逆らって突き出ればよい。
【００４０】
第４フィルタ５２は、第２気流誘導面３８ｂおよびランプ部材２８の間に配置される。ランプ部材２８には誘導壁５５が接続される。誘導壁５５はベース１３の底板から直立する。誘導壁５５はベース１３の底板に一体化されればよい。誘導壁５５は、ランプ部材２８に近づくにつれて第２気流誘導面３８ｂに近づく。こういった第３および第４フィルタ５１、５２は前述の第１および第２フィルタ４３、４４と同様に形成されればよい。すなわち、第３および第４フィルタ５１、５２は例えばＰＴＦＥやエレクトレットといった材料から形成されればよい。その他、前述の第１実施形態と均等な構成や構造には同一の参照符号が付される。
【００４１】
以上のようなＨＤＤ１１ａでは、前述されるように、気流は第３気流誘導面３８ｃに沿って流通する。その一方で、突起５４は第３気流誘導面３８ｃから突き出る。突起５４は気流流通路３９内で途切れる。したがって、気流流通路３９では突起５４の突出にも拘わらず気流の滞留はできる限り回避される。第３フィルタ５１は十分な流速の気流に曝されることができる。しかも、第３フィルタ５１には複数の突起５４が形成される。配置スペースの増大を伴うことなくフィルタの面積は増大する。面積の増大に基づき塵埃は大量に集塵されることができる。第３フィルタ５１では集塵の効率は高められる。
【００４２】
加えて、誘導壁５５の働きで気流流通路３９からヘッドアクチュエータ部材１９に向かう気流の漏れは阻止される。したがって、誘導壁５５および第２気流誘導面３８ｂの間で気流の流速は十分に確保される。こうした気流は、磁気ディスク１７の回転方向に沿ってランプ部材２８の下流に区画される気流流通路３９に効率的に流れ込む。こうした気流に第４フィルタ５２は曝されることができる。第４フィルタ５２では集塵の効率は高められることができる。
【図面の簡単な説明】
【００４３】
【図１】本発明の第１実施形態に係る記録ディスク駆動装置の一具体例すなわちハードディスク駆動装置（ＨＤＤ）の内部構造を概略的に示す平面図である。
【図２】第２シュラウド、シュラウド板および第１フィルタの構造を概略的に示す部分拡大断面図である。
【図３】図２の３−３線に沿った部分拡大断面図であり、シュラウド板および第１フィルタと磁気ディスクとの位置関係を概略的に示す図である。
【図４】振動の周波数特性を示すグラフである。
【図５】図１に対応し、一変形例に係るＨＤＤの内部構造を概略的に示す平面図である。
【図６】本発明の第２実施形態に係るＨＤＤの内部構造を概略的に示す平面図である。
【符号の説明】
【００４４】
１１  記録ディスク駆動装置（ハードディスク駆動装置）、１４  仮想円筒面、１７  記録ディスク（磁気ディスク）、１７ａ  外周端面、１９  ヘッドアクチュエータ、２５  ヘッドスライダ（浮上ヘッドスライダ）、３３  第１シュラウド面、３６  整流板、３７  導入口、３８  気流誘導面、３９  気流流通路、４１  シュラウド板、４３  集塵部材（第１フィルタ）、４４  集塵部材（第２フィルタ）、４５  第２シュラウド面、５１  集塵部材（第３フィルタ）、５２  集塵部材（第４フィルタ）、５４  突起。
【図１】
0004496140.tif 000002
【図２】
0004496140.tif 000003
【図３】
0004496140.tif 000004
【図４】
0004496140.tif 000005
【図５】
0004496140.tif 000006
【図６】
0004496140.tif 000007